(57)【要約】      （修正有）【課題】シュー組立体を支持する一対の開閉アーム及び前記開閉アームに取り付けられたアーム開閉装置を一体的に組付けたフイルムラップ装置において、フイルムラップ加工中にクーラント供給ノズルから放射されるクーラントが飛散しても、開閉アームとモジュール本体との間にクーラントや切り屑が侵入することがなく、側板が摩耗せず、支点軸が破損することがないフイルムラップ装置のクーラント侵入防止装置を提供する。【解決手段】モジュール本体21に開閉可能に支持された一対の開閉アーム 6と、各開閉アーム 6にそれぞれ支持されたシュー組立体 5及び各開閉アーム 6のアーム開閉用クランプシリンダ 7を有し、アームモジュール20は機械本体 1に対し一体的に交換可能なモジュールとして組付けられ、機械本体 1前面上部に、機械本体 1と各シュー組立体 5との間にエアカーテン50を形成するエアカーテン噴出口51を設けた。【選択図】図１
2008221407.tif 000002
【特許請求の範囲】
【請求項１】
機械本体にそれぞれ差し替え可能に組付けられたアームモジュールであって、各アームモジュールは、モジュール本体と、モジュール本体に開閉可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体と、前記開閉アームに取り付けられたアーム開閉装置とが一体的に交換可能なアームモジュールとして組付けられ、機械本体前面上部に、前記機械本体と各シュー組立体との間にエアカーテンを形成するエアカーテン噴出口を設けたことを特徴とするフイルムラップ装置のクーラント侵入防止装置。
【請求項２】
前記エアカーテン噴出口は、前記機械本体前面上部に固定したエアパイプ下面にそれぞれの各シュー組立体に向けた各シュー組立体に対応したエアカーテン噴出長穴からなり、かつ前記エアパイプには圧縮エアーを機械本体前面のエアパイプの両側から供給し、前記機械本体と各シュー組立体との間に各シュー組立体毎のそれぞれのエアカーテンを形成するようにしたことを特徴とする請求項１記載のフイルムラップ装置のクーラント侵入防止装置。
【発明の詳細な説明】
【技術分野】
【０００１】
本発明は、比較的非圧縮性の研磨材被覆フイルムの研磨材被覆面を回転される加工面を有する鋼管、自動車部品等の被加工物表面に接触させて押圧する比較的剛性の凹面を有するシュー組立体を支持する一対の開閉アーム及び前記開閉アームに取り付けられたアーム開閉装置を一体的に交換可能なアームモジュールとして組付けたフイルムラップ装置のクーラント侵入防止装置に関する。
【背景技術】
【０００２】
従来の比較的非圧縮性の研磨材被覆フイルムの研磨材被覆面を回転される加工面を有する鋼管、自動車部品等の被加工物表面に接触させて押圧する比較的剛性の凹面を有するシュー組立体を支持する一対の開閉アーム及び前記開閉アームに取り付けられたアーム開閉装置を一体的に交換可能なアームモジュールとして組付けたフイルムラップ装置のクーラント侵入防止装置としては、例えば特許文献１に開示するものがあり、このものは、アームモジュール本体に開閉可能に支持された比較的剛性の凹面を有するシュー組立体を支持する一対の開閉アーム及び前記開閉アームに取り付けられたアーム開閉装置を一体的に交換可能なアームモジュールとして組付けた一体型カセット本体に、側面カバー、正面を部分的におおうアーム基部カバー及び上部をおおう上部カバーを設け、クーラント侵入防止装置としていた。
【特許文献１】特開２００７−７７７８号公報  図１
【発明の開示】
【発明が解決しようとする課題】
【０００３】
しかしながら、かかる従来の比較的剛性の凹面を有するシュー組立体を支持する一対の開閉アーム及び前記開閉アームに取り付けられたアーム開閉装置を一体的に交換可能なアームモジュールとして組付けたフイルムラップ装置のクーラント侵入防止装置では、フイルムラップ加工中にクーラント供給ノズルから放射されるクーラントが飛散し、開閉アームとアームモジュール本体との間にクーラントや切り屑が侵入し、側板の摩耗が激しく、また、支点軸が破損するといった現象が発生した。
【０００４】
本発明の課題は、比較的剛性の凹面を有するシュー組立体を支持する一対の開閉アーム及び前記開閉アームに取り付けられたアーム開閉装置を一体的に交換可能なアームモジュールとして組付けたフイルムラップ装置において、フイルムラップ加工中にクーラント供給ノズルから放射されるクーラントが飛散しても、開閉アームとモジュール本体との間にクーラントや切り屑が侵入することがなく、側板の摩耗を防ぎ、また、支点軸が破損することがないフイルムラップ装置のクーラント侵入防止装置を提供することにある。
【課題を解決するための手段】
【０００５】
このため本発明は、機械本体にそれぞれ差し替え可能に組付けられたアームモジュールであって、各アームモジュールは、モジュール本体と、モジュール本体に開閉可能に支持された一対の開閉アームと、各開閉アームにそれぞれ支持された比較的非圧縮性の研磨材被覆フイルムの研磨材被覆面を被加工物の軸表面に接触させて押圧する一対の比較的剛性の凹面を有するシュー組立体と、前記開閉アームに取り付けられたアーム開閉装置とが一体的に交換可能なアームモジュールとして組付けられ、機械本体前面上部に、前記機械本体と各シュー組立体との間にエアカーテンを形成するエアカーテン噴出口を設けたことを特徴とするフイルムラップ装置のクーラント侵入防止装置を提供することによって上記した従来製品の課題を解決した。
【発明の効果】
【０００６】
かかる構成により、本発明のフイルムラップ装置のクーラント侵入防止装置では、モジュール本体と、モジュール本体に開閉可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体と、前記開閉アームに取り付けられたアーム開閉装置とが一体的に交換可能なアームモジュールとして組付けられ、機械本体前面上部に、前記機械本体と各シュー組立体との間にエアカーテンを形成するエアカーテン噴出口を設けたので、フイルムラップ加工中にクーラント供給ノズルから放射されるクーラントが飛散しても、機械本体と各シュー組立体との間に形成されたエアカーテンにより、開閉アームとモジュール本体との間にクーラントや切り屑が侵入することがなく、側板の摩耗を防ぎ、また、支点軸が破損することがないフイルムラップ装置のクーラント侵入防止装置を提供するものとなった。
【０００７】
好ましくは、前記エアカーテン噴出口は、前記機械本体前面上部に固定したエアパイプ下面にそれぞれの各シュー組立体に向けて各シュー組立体に対応したエアカーテン噴出長穴からなり、かつ前記エアパイプには圧縮エアーを機械本体前面のエアパイプの両側から供給し、前記機械本体と各シュー組立体との間に各シュー組立体毎のそれぞれのエアカーテンを形成するようにしたことにより、フイルムラップ加工中にクーラント供給ノズルから放射されるクーラントは、機械本体と各シュー組立体との間との間の各シュー組立体毎のそれぞれのエアカーテンにより、開閉アームとモジュール本体との間にクーラントや切り屑が侵入することはなく、より側板の摩耗を防ぎ、支点軸が破損することがないフイルムラップ装置のクーラント侵入防止装置を提供するものとなった。
【発明を実施するための最良の形態】
【０００８】
本発明の実施形態を図面を参照して説明する。図１（ａ）は本発明の実施形態のフイルムラップ装置のクーラント侵入防止装置の概略立面正面図を示し、（ｂ）は（ａ）のＡ矢視図で、エアパイプの下面図であり、（ｃ）は（ａ）のＣ矢視図で（ａ）の右側面図である。
【０００９】
図１に示す本発明実施形態のフイルムラップ装置のクーラント侵入防止装置では、アームモジュール20は、機械本体 1の一部をなし被加工物の軸方向に移動可能に支持されたアームモジュール20であって、各アームモジュール20は、モジュール本体21と、モジュール本体21に固定された図示しない軸受けに開閉可能に支持された一対の開閉アーム 6と、各開閉アーム 6にそれぞれ支持された図示しない比較的非圧縮性の研磨材被覆フイルムの研磨材被覆面を被加工物 2の軸表面に接触させ押圧する一対の比較的剛性の凹面を有するシュー組立体 5と、各開閉アーム 6の反シュー組立体側端部に固定されたアーム開閉装置であるアーム開閉用クランプシリンダ 7（ボールネジであってもよい）とを有し、アームモジュール20は機械本体 1に対し一体的に交換可能なモジュールとして組付けられ、機械本体 1前面上部に、機械本体 1と各シュー組立体 5との間にエアカーテン50を形成するエアカーテン噴出口51を設けたものである。42はクーラント供給ノズルで、クーラントは各開閉アーム 6に支持されたシュー組立体 5が把持する被加工物 2の軸表面に向けて放射される。
【００１０】
かかる構成により、本発明の第１の実施形態のフイルムラップ装置のクーラント侵入防止装置では、各開閉アーム 6にそれぞれ支持された比較的非圧縮性の研磨材被覆フイルムの研磨材被覆面を被加工物 2の軸表面に接触させ押圧する一対の比較的剛性の凹面を有するシュー組立体 5及び開閉アーム 6に取り付けられたアーム開閉装置であるアーム開閉用クランプシリンダ 7を一体的に交換可能なアームモジュールとして組付けられ、機械本体 1前面上部に、機械本体 1と各シュー組立体 5との間にエアカーテン50を形成するエアカーテン噴出口51を設けたので、フイルムラップ加工中、クーラント供給ノズル42から放射されるクーラントが飛散しても、機械本体 1と各シュー組立体 5との間にエアカーテン50により、開閉アーム 6とモジュール本体21との間にクーラントや切り屑が侵入することがなく、側板の摩耗を防ぎ、また、支点軸が破損することがないフイルムラップ装置のクーラント侵入防止装置を提供するものとなった。
【００１１】
図１（ｂ）のエアパイプ52の下面図で示すように、エアカーテン噴出口51は、機械本体 1前面上部に固定したエアパイプ52下面にそれぞれの各シュー組立体 5に向けた各シュー組立体 5に対応したエアカーテン噴出長穴51からなり、かつ機械本体 1前面のエアパイプ52の両側から圧縮エアー53、54を供給し、機械本体 1と各シュー組立体 5との間に各シュー組立体 5毎のそれぞれのエアカーテン50、50を形成するようにしたことにより、フイルムラップ加工中にクーラント供給ノズル42から放射されるクーラントは、機械本体 1と各シュー組立体 5との間との間の各シュー組立体 5毎のそれぞれのエアカーテン50、50により、開閉アームとモジュール本体21との間にクーラントや切り屑が侵入することがなく、より側板の摩耗を防ぎ、支点軸が破損することがないフイルムラップ装置のクーラント侵入防止装置を提供するものとなった。
【図面の簡単な説明】
【００１２】
【図１】（ａ）は本発明の実施形態のフイルムラップ装置のクーラント侵入防止装置の概略立面正面図を示し、（ｂ）は（ａ）のＡ矢視図で、エアパイプの下面図であり、（ｃ）は（ａ）のＣ矢視図で（ａ）の概略右側面図である。
【符号の説明】
【００１３】
1 ：機械本体、2 ：被加工物、5 ：シュー組立体、6 ：開閉アーム
7 ：アーム開閉用クランプシリンダ、20：アームモジュール、50：エアカーテン
51：エアカーテン噴出長穴（エアカーテン噴出口）、52：エアパイプ
53、54 ：圧縮エアー
【図１】
2008221407.tif 000003